(57)【要約】  組み込み機器実機におけるパフォーマンスや処理負荷、表示状態を検証し易く、開発時の作業サイクル時間を短縮した作業効率のよい開発環境を提供する。  表示手段（１０７）と中央演算手段（１０５）と描画演算手段（１０６）と記憶手段（１０１）とを備える。中央演算手段（１０５）は、所定の演算単位クロック毎に記憶手段（１０１）内の命令アドレスに記載された内容を解釈して各種の演算処理を行う。描画演算手段（１０６）は、記憶手段（１０１）を中央演算手段（１０５）と共有し、描画演算処理をする。表示手段（１０７）は、記憶手段（１０１）内の表示アドレスを先頭とする所定の記憶空間を描画演算手段（１０６）と共有し、表示アドレスを先頭とする所定の記憶空間の記憶状態に応じて表示デバイス（１０８）に表示させる。そして、記憶手段（１０１）又は／及び中央演算手段（１０５）を状態表示装置外に持つことを許容する。
2010087140.tif 000002
【特許請求の範囲】
【請求項１】
機器の状態を表示する状態表示装置であって、
表示手段と中央演算手段と描画演算手段と記憶手段とを備え、
前記中央演算手段は、所定の演算単位クロック毎に前記記憶手段内の命令アドレスに記載された内容を解釈して四則演算・論理演算・データ転送・命令アドレス変更・条件付命令アドレス変更を行うものであり、
前記描画演算手段は、前記記憶手段を前記中央演算手段と共有し、前記記憶手段内の指示アドレスに記載された内容を解釈して画像・図形をなす微小な点集合の座標を演算し、前記記憶手段内の描画アドレスを先頭とする所定の記憶空間のうち前記座標に該当する位置の記憶状態を変更し、次の解釈位置を前記指示アドレスへ反映する一連の描画演算処理をするものであり、
前記表示手段は、前記記憶手段内の表示アドレスを先頭とする所定の記憶空間を前記描画演算手段と共有し、前記表示アドレスを先頭とする所定の記憶空間の記憶状態に応じて表示デバイスに表示を行うものであって、
前記記憶手段又は／及び前記中央演算手段を前記状態表示装置外に持つことを許容することを特徴とする状態表示装置。
【請求項２】
機器の状態を表示する状態表示装置であって、
表示手段と中央演算手段と描画演算手段と記憶手段とを備え、
前記中央演算手段は、所定の演算単位クロック毎に前記記憶手段内の命令アドレスに記載された内容を解釈して四則演算・論理演算・データ転送・命令アドレス変更・条件付命令アドレス変更を行うものであり、
前記描画演算手段は、前記記憶手段を前記中央演算手段と共有し、表示データ記憶手段を前記表示手段と共有し、前記記憶手段内の指示アドレスに記載された内容を解釈して画像・図形をなす微小な点集合の座標を演算し、前記表示手段内の描画アドレスを先頭とする前記表示データ記憶手段が持つ記憶空間のうち前記座標に該当する位置の記憶状態を変更し、次の解釈位置を前記指示アドレスへ反映する一連の描画演算処理をするものであり、
前記表示手段は、前記表示データ記憶手段内の表示アドレスを先頭とする所定の記憶空間を前記描画演算手段と共有し、前記表示アドレスを先頭とする所定の記憶空間の記憶状態に応じて表示デバイスに表示を行うものであって、
前記記憶手段又は／及び前記中央演算手段を前記状態表示装置外に持つことを許容することを特徴とする状態表示装置。
【請求項３】
前記記憶手段を状態表示装置とは物理的に異なる外部機器の記憶手段を用いて構成することを特徴とする請求項１又は２に記載の状態表示装置。
【請求項４】
前記中央演算手段を状態表示装置とは物理的に異なる外部機器の演算手段を用いて構成することを特徴とする請求項１乃至３の何れかに記載の状態表示装置。
【請求項５】
前記描画演算手段及び前記表示手段と、前記記憶手段と、前記中央演算手段との間をアドレスバス及びデータバスで接続したことを特徴とする請求項１乃至４の何れかに記載の状態表示装置。
【請求項６】
前記描画演算手段及び前記表示手段と、前記記憶手段と、前記中央演算手段との間を通信手段で接続したことを特徴とする請求項１乃至４に記載の何れかに状態表示装置。
【請求項７】
前記中央演算手段は前記状態表示装置内に具備し、前記中央演算手段とは異なる第２の中央演算手段を状態表示装置とは物理的に異なる外部機器の演算手段を用いて構成することを特徴とする請求項１乃至３の何れかに記載の状態表示装置。
【請求項８】
前記描画演算手段及び前記表示手段と、前記記憶手段と、前記中央演算手段と、前記第２の中央演算手段との間をアドレスバス及びデータバスで接続したことを特徴とする請求項７に記載の状態表示装置。
【請求項９】
前記描画演算手段、前記表示手段及び前記中央演算手段と、前記記憶手段及び前記第２の中央演算手段との間を通信手段で接続したことを特徴とする請求項７に記載の状態表示装置。
【請求項１０】
機器の状態を表示する状態表示装置であって、
表示手段と第１の中央演算手段と描画演算手段と記憶手段とを備え、
前記第１の中央演算手段は、所定の演算単位クロック毎に前記記憶手段内の命令アドレスに記載された内容を解釈して四則演算・論理演算・データ転送・命令アドレス変更・条件付命令アドレス変更を行うものであり、
前記描画演算手段は、前記記憶手段を前記第１の中央演算手段と共有し、前記記憶手段内の指示アドレスに記載された内容を解釈して画像・図形をなす微小な点集合の座標を演算し、前記記憶手段内の描画アドレスを先頭とする所定の記憶空間のうち前記座標に該当する位置の記憶状態を変更し、次の解釈位置を前記指示アドレスへ反映する一連の描画演算処理をするものであり、
前記表示手段は、前記記憶手段内の表示アドレスを先頭とする所定の記憶空間を前記描画演算手段と共有し、前記表示アドレスを先頭とする所定の記憶空間の記憶状態に応じて表示デバイスに表示を行うものであって、
前記記憶手段を前記状態表示装置とは物理的に異なる外部機器内に持ち、前記記憶手段に格納する内容を前記外部機器が決定することによって前記一連の描画演算処理の内容を決定することを特徴とする状態表示装置。
【請求項１１】
機器の状態を表示する状態表示装置であって、
表示手段と第１の中央演算手段と描画演算手段と記憶手段とを備え、
前記第１の中央演算手段は、所定の演算単位クロック毎に前記記憶手段内の命令アドレスに記載された内容を解釈して四則演算・論理演算・データ転送・命令アドレス変更・条件付命令アドレス変更を行うものであり、
前記描画演算手段は、前記記憶手段を前記第１の中央演算手段と共有し、表示データ記憶手段を前記表示手段と共有し、前記記憶手段内の指示アドレスに記載された内容を解釈して画像・図形をなす微小な点集合の座標を演算し、前記表示手段内の描画アドレスを先頭とする前記表示データ記憶手段が持つ記憶空間のうち前記座標に該当する位置の記憶状態を変更し、次の解釈位置を前記指示アドレスへ反映する一連の描画演算処理をするものであり、
前記表示手段は、前記表示データ記憶手段内の表示アドレスを先頭とする所定の記憶空間を前記描画演算手段と共有し、前記表示アドレスを先頭とする所定の記憶空間の記憶状態に応じて表示デバイスに表示を行うものであり、
前記記憶手段を前記状態表示装置とは物理的に異なる外部機器内に持ち、前記記憶手段に格納する内容を前記外部機器が決定することによって前記一連の描画演算処理の内容を決定することを特徴とする状態表示装置。
【請求項１２】
前記記憶手段に格納する内容を前記外部機器内に持つ第２の中央演算手段により決定することを特徴とする請求項１０又は１１に記載の状態表示装置。
【請求項１３】
前記第２の中央演算手段が決定する前記記憶手段に格納する内容が、前記描画演算手段が解釈・描画演算処理するための描画要求であることを特徴とする請求項１０乃至１２の何れかに記載の状態表示装置。
【請求項１４】
前記描画要求が、描画開始・終了・一時停止・アドレス変更・描画動作指定のいずれかのコマンドと、コマンドが必要とする場合には画像種別・座標・画像属性値・領域指定・動作指定属性値のうち少なくとも１つ以上のコマンドパラメータとからなる描画命令の少なくとも１つ以上の集合体からなることを特徴とする請求項１３に記載の状態表示装置。
【請求項１５】
前記第１の中央演算手段が前記記憶手段内の命令アドレスに記載された内容を解釈して実行する四則演算・論理演算・データ転送・命令アドレス変更・条件付命令アドレス変更の処理を擬似的に前記外部機器内に持つ第２の中央演算手段により実行することを特徴とする請求項１０乃至１４の何れかに記載の状態表示装置。
【請求項１６】
前記第２の中央演算手段が、前記描画演算手段から前記記憶手段へのアクセス先である前記指示アドレスを把握または管理することを特徴とする請求項１０乃至１５の何れかに記載の状態表示装置。
【請求項１７】
前記第２の中央演算手段が、前記描画演算手段の動作状態を前記指示アドレスの変遷から検出することを特徴とする請求項１６に記載の状態表示装置。
【発明の詳細な説明】
【技術分野】
【０００１】
本発明は、空気調和機や電子機器等の機器の状態を表示する状態表示装置及び状態表示方法に関する。
【背景技術】
【０００２】
空気調和機や家電機器等の電子機器の多機能化により、従来の数個のボタンと直結した固定内容の表示装置、例えばセグメント液晶の表示を組み合わせるだけでは機器を操作しきれなくなっている。そこで、低価格化してきた汎用液晶(いわゆるフルドット液晶)等により、任意の図形・画像を表示し、さらにはこの性質を利用して画面表示を切り替えたり説明用の小さな窓状のウインドウ表示を組み合わせる方法(いわゆるグラフィカルユーザインタフェース:GUI)により多機能性と使いやすさとを両立した機器が製造されるようになっている。利用者にとっても、基本機能をすぐ使えて、応用機能も使えるような操作性は利便性の向上につながっている。しかしこれら機器の表示装置においては製造コストの観点から液晶への表示内容や操作装置には大きな制約がある。【０００３】
組込機器に用いられるマイコンは、コスト面・発熱面・消費電力などの観点からパソコンと比較して処理能力の低いものが用いられ、その性能比は速度1/100、記憶容量1/1000以下であることが多い。前記フルドット液晶は微小な発光点の組合せで表示の自由度を実現するため、一つの図形を表示するだけでも多くの命令数を必要とする。たとえば1cm 角の四角形を描画するために100個程度の微小な発光点を変化させねばならず、このためにはおよそ1000命令程度を要する。このような図形表示を組み合わせ、さらに画面表示切替により頻繁に描画するGUI処理のために、マイコン処理能力の大部分を消費し、また中間的な情報処理のために記憶容量の大部分を消費してしまい、本来の空気調和機や家電機器の制御アプリケーションプログラムが遅延するなどの影響がある。結果的に制御アプリケーションプログラムの設計が難しくなり、全体としてのパフォーマンスを保つためにGUI処理と制御アプリケーションの処理とを複雑に組み合わせざるを得ない状況が多く発生している。そのため、何らかの不具合が発生しても、描画要求の誤りなのか、制御アプリケーション処理の誤りなのか、もしくは他の処理の誤りなのかを切り分け、原因を特定することが非常に困難となっている。【０００４】
このような不具合原因を特定し解決しながら正しく動作するシステムを開発する作業は、上記のような制約の厳しいマイコン上で直接行うことは困難であるため、マイコンに比較して充分な性能を持ち、自由度の高いパソコン上で行うことが広く実施されている。この時、GUI画面の確認を行うために組み込み機器の表示装置を利用する場合には、パソコン上で作成したGUIアプリケーションを一旦組み込み機器に落とし込み、表示してみるといった手間のかかる作業が発生する。そこで例えば、マイコンで動作する組み込み機器で表示される画面をパソコン等の開発システム上でエミュレートして見せ、開発効率を向上する試みがなされている（例えば特許文献１参照）。また、このようにエミュレートしたりシミュレートしたりして画面表示を行うと、組み込み機器の実機とは異なる特性の表示装置上に表示を行うことになるため、視認性の検証や表示可能色数の異なる液晶パネルへの表示の違いの検証等ができないという問題があり、これを解決するために、GUI画面を実際の表示装置の特性に合わせて変換し表示できる装置を提供する試みがなされている（例えば特許文献２参照）。
【先行技術文献】
【特許文献】
【０００５】
【特許文献１】特開２００６−２０９７５９号公報
【特許文献２】特開２００１−３１８８１１号公報
【発明の概要】
【発明が解決しようとする課題】
【０００６】
上述のように、従来技術では組み込み機器の実デバイスを利用して開発を行うには一旦ソフトウェアを組み込み機器に落とし込んで試す必要があるためそのための時間ロスが発生するという課題があった。また、開発システム上でのエミュレートでは実機マイコン上の動作とは異なるため、実機でのパフォーマンスやGUIがマイコンに与える負荷状況が分からないといった課題があった。さらに、表示装置の特性に合わせて画面表示を変換したもので検証を進めても、最終的には実デバイスでの評価が必須であり、結果的に評価時間や評価コストがかかってしまうという課題があった。【０００７】
本発明は、上記のような課題を解決するためになされたものであり、組み込み機器実機におけるパフォーマンスや処理負荷、表示状態を検証し易く、開発時の作業サイクル時間を短縮した作業効率のよい開発環境を提供することを目的としている。
【課題を解決するための手段】
【０００８】
本発明に係る状態表示装置は、表示手段と中央演算手段と描画演算手段と記憶手段とを備え、前記中央演算手段は、所定の演算単位クロック毎に前記記憶手段内の命令アドレスに記載された内容を解釈して四則演算・論理演算・データ転送・命令アドレス変更・条件付命令アドレス変更を行うものであり、前記描画演算手段は、前記記憶手段を前記中央演算手段と共有し、前記記憶手段内の指示アドレスに記載された内容を解釈して画像・図形をなす微小な点集合の座標を演算し、前記記憶手段内の描画アドレスを先頭とする所定の記憶空間のうち前記座標に該当する位置の記憶状態を変更し、次の解釈位置を前記指示アドレスへ反映する一連の描画演算処理をするものであり、前記表示手段は、前記記憶手段内の表示アドレスを先頭とする所定の記憶空間を前記描画演算手段と共有し、前記表示アドレスを先頭とする所定の記憶空間の記憶状態に応じて表示デバイスに表示を行うものであって、前記記憶手段又は／及び前記中央演算手段を前記状態表示装置外に持つことを許容することを特徴とするものである。
【発明の効果】
【０００９】
本発明に係る状態表示装置によれば、組み込み機器実機上の描画処理により実デバイス上に表示が行える状態表示装置を、パソコン等の開発環境の制御下で実現できるので、組み込み機器実機におけるパフォーマンスや処理負荷、表示状態を検証し易く、開発時の作業サイクル時間を短縮した作業効率のよい開発環境が得られる。
【図面の簡単な説明】
【００１０】
【図１】本発明の実施の形態１に係る状態表示装置の概略構成の一例。
【図２】本発明の実施の形態１に係る状態表示装置の概略構成の一例。
【図３】本発明の実施の形態１に係る状態表示装置の概略構成の一例。
【図４】本発明の実施の形態１に係る状態表示装置の概略構成の一例。
【図５】本発明の実施の形態１に係る状態表示装置の概略構成の一例。
【図６】本発明の実施の形態１に係る状態表示装置の概略構成の一例。
【図７】本発明の実施の形態１に係る状態表示装置の概略構成の一例。
【図８】本発明の実施の形態１に係る描画要求の概略構成の一例。
【図９】本発明の実施の形態１に係る状態表示装置の描画動作手順の一例。
【図１０】本発明の実施の形態１に係る状態表示装置の動作の一例。
【図１１】本発明の実施の形態１に係る状態表示装置の動作の一例。
【図１２】本発明の実施の形態１に係る状態表示装置の動作の一例。
【発明を実施するための形態】
【００１１】
実施の形態１．
図１、図２、図３、図４、図５、図６、図７及び図８は本発明の実施の形態１に係る状態表示装置の概略構成の一例を示すものである。
図１、図２、図８及び図９において、本状態表示装置の構成と基本動作を説明する。
状態表示装置１００は、中央演算手段１０５、描画演算手段１０６、表示手段１０７、記憶手段１０１とからなり、記憶手段１０１には表示プログラム１０２、機器制御プログラム１０３、表示データ１０４が格納されている。
【００１２】
表示手段１０７の表示デバイス１０８がフルドット液晶である場合を想定して動作を図１、図８、図９を用いて説明する。
表示手段１０７は、フルドット液晶のたとえば左上から右へ、さらに下方向へと時間経過とともに表示位置の移動に応じた内容を高速に発光させ、目に映る残像効果により二次元の画像を映し出す。この動作のため、表示手段１０７は表示データ領域１０４から順次必要な発光情報ないし色情報を取得し、発光を行う。
【００１３】
中央演算手段１０５は、記憶手段１０１内の位置を命令アドレスにより指し示し、その指し示された位置に記憶された情報を中央演算手段１０５の定義内容に基づき解釈し、四則演算・論理演算・データ転送・命令アドレス変更・条件付命令アドレス変更を行う。これらの演算等の組み合わせたプログラムにより複雑な計算や機器の制御を実現する。本実施の形態では、表示プログラム１０２および機器制御プログラム１０３の位置に記憶された情報によって所定の複雑な動作を実現する。下記に記す描画要求２００は予めデータとして表示プログラム１０２領域に置かれていてもよいし、稼動中に中央演算手段１０５が生成したものを表示プログラム１０２領域に置いてもよい。
【００１４】
描画演算手段１０６は、表示処理に特化した論理回路であって、記憶手段１０１を読み書きする機能を有する。
【００１５】
すなわち指示アドレスが指し示す表示プログラム１０２中の描画要求２００の情報を読み取り解釈して（９０１）、描画命令２０１に応じて線描画や四角枠描画、四角塗描画、画像描画等の機能のいずれかの論理回路を活性化する（９０２）。あるいは描画範囲を設定するなどの機能を実行する。
【００１６】
いずれか活性化された論理回路は描画命令２０１から座標情報を読み取り、その座標情報に基づく図形を表示データ領域１０４の所定位置の発光情報ないし色情報の変更へと変換する（９０３）。指示アドレスは描画命令にアドレス変更命令があれば指定されたアドレスに変更され、アドレス変更命令が無い場合には自動的に１描画命令分進められる。
【００１７】
すなわち、表示プログラム１０２領域の、指示アドレスが指し示す位置に描画要求２００を格納すれば、描画処理が行われ、画面表示が行われることになる。
【００１８】
上述の例では表示データ１０４領域を記憶手段１０１の内部に設けたが、表示データ記憶手段１１０として表示手段１０７に内包されていても良い（図２）。表示データ記憶手段１１０と記憶手段１０１とは物理的に異なるデバイスであっても良い。
【００１９】
次に、図３及び図４を用いて構成を説明する。
図３において、記憶手段１０１は状態表示装置１１２とは異なる外部機器内に構成されている。ここではPC（Personal Computer）１１１上のメモリ等を利用して構成されているものとする。PC１１１と状態表示装置１１２とはアドレスバス／データバス１１３によって接続され、中央演算手段１０５や描画演算手段１０６から記憶手段１０１へのアクセスは図１において状態表示装置１００の内部のアドレスバス／データバス１０９を介して行われるアクセスと同等となる。このように構成することで、PC１１１上の任意の手段によって記憶手段１０１の表示プログラム１０２領域や機器制御プログラム１０３領域に所定のデータを用意することにより、PC１１１側の意図する動作を状態表示装置に行わせることが可能となる。
【００２０】
図４では図３と同様のPC１１１内に、中央演算手段２ １１４を備えている。状態表示装置１１２の内部の中央演算手段は中央演算手段１ １１８とする。中央演算手段２ １１４は任意のタイミングで記憶手段１０１の内容を生成、変更可能とする。これは一般にPC１１１のCPU(Central Processing Unit)が、PCの持つメモリ領域のデータの生成、変更を行う仕組みを用いて実現される。すなわち、PC１１１のCPUの機能を用いて中央演算手段２ １１４を、メモリの一部あるいは全てを用いて記憶手段１０１を構成することで実現できる。中央演算手段２は、例えばGUIアプリケーションが記述されている表示プログラム１０２を擬似的に解釈、実行し、描画要求２００を生成する。生成された描画要求２００を描画演算手段１０６が読み取り、解釈、実行して表示手段を利用してGUI表示を行う。この時、中央演算手段１はアドレスバス／データバス１１３を介して機器制御プログラム１０３を読み取り、解釈、実行して機器制御を行う。このようにして、PC１１１側でGUIアプリケーションを実行して、表示処理および機器制御処理は実機そのものを利用して行うシステムを構成することができる。中央演算手段２ １１４は表示プログラムの解釈、実行、および左記に基づく描画要求２００の生成の他、PC１１１上のアプリケーションを実行するなどして表示プログラムの新規作成や変更等の編集を行ったり、直接描画命令を記述して描画要求を新規作成したり変更したりすることも可能である。この特性を利用して、PCによりGUIアプリケーションの開発、デバッグを効率よく実施可能な開発環境を構成することができる。
【００２１】
例えば、図１０に示すように、通常のGUIアプリケーションを実行するための描画要求のシーケンスの途中に、一時停止コマンド（BREAK）を挿入することにより、中央演算手段２ １１４側で任意のタイミングを指定して、描画処理を一時停止させることが可能となる。これは描画処理に不具合があった場合などに、描画処理を逐次確認していく場合などに有用となる。また例えば、描画演算手段１０６が記憶手段１０１にバス経由でアクセスしてくるため、中央演算手段２ １１４側では記憶手段１０１のどのアドレスに現在アクセスされているかを把握することが可能となる。そのため、ある描画処理で不具合が発生して、描画演算手段１０６からのアクセスが一定のアドレスで停止すると、アクセスアドレスが一定時間以上変更されないことを中央演算手段２ １１４側で検出できるため、不具合が発生しているアドレスが推定あるいは特定でき、また、そのアドレスに置かれた描画要求３０３（図１１参照）の内容からどのような描画要求が不具合を引き起こしたのか、その描画要求を出力したGUIアプリケーションから、GUIアプリケーションのどこに不具合が発生したかも推定あるいは特定できる。さらに、図１２に示すように、描画演算手段１０６のアクセスの遷移に従って次々に描画要求３０４〜３０８を中央演算手段２ １１４が書き換えてやることによって、無限に繰り返す表示や、延々と変化し続ける表示など、さまざまなGUI表示を限られた記憶手段１０１領域を使用するだけで行うことができる。
【００２２】
一般に、描画演算手段１０６側の組み込み機器実機の方が中央演算手段２ １１４側のPC１１１より制約が大きく、アクセス可能なアドレス範囲も狭いが、その制約に縛られることなく、巨大なデータ量の描画要求データも、図１２の方式を利用すれば描画演算手段１０６に渡すことができ、より豊かな表現や、より複雑な動作試験も実施することが可能となる。
【００２３】
上記では、中央演算手段１ １１８で機器制御プログラム１０３を解釈、実行するものとして説明したが、図５に模式的に示すように、中央演算手段１ １１８の機能を殺し、機器制御プログラム１０３の解釈、実行も中央演算手段２ １１４で擬似的に実行してもよい。この場合は状態表示装置側は完全にGUI表示に特化した存在となり、純粋な描画処理の試験等に有効である。また、図６に模式的に示すように、図５のPC１１１部分を組み込み機器で用いられるマイコン１１５で構成してもよい。マイコン１１５上でPC１１１と同様の開発環境を構成してもよいし、マイコン１１５におけるGUI描画処理をマイコン１１５から分離してGUI処理負荷を減らすために図６で状態表示装置１１２と記載した範囲を利用する形で構成してもよい。図示はしていないが、図６のようにマイコン１１５を使用した構成であっても、中央演算手段１ １１８の機能を殺さず、機器制御プログラム１０３の処理や表示プログラム１０２の処理等を中央演算手段１ １１８とマイコン１１５とで分担して実施する構成としてもよい。
【００２４】
さらに、上述の形態では例えば図３における状態表示装置１１２とPC１１１との間はアドレスバス／データバス１１３により接続する構成として説明したが、図７に示すように、これらの間をシリアル伝送を代表とするような何らかの通信手段で接続してもよい。この場合は、例えば描画演算手段１０６が記憶手段１０１から描画要求を読み出す際には、描画演算手段１０６から発せられるバスアクセス信号を通信手段１ １１７と通信手段２  １１６との間で取り決めるプロトコルに従った電文に通信手段１ １１７で変換し、その電文を受信した通信手段２  １１６はバスアクセスにより所定の描画要求を読み出し、通信手段２  １１６が再度電文に変換し、その電文を通信手段１が受信してバス信号に変換して描画演算手段１０６が描画要求データを読み取れるようにする。または、上記では通信手段の両側では従来通りのバスアクセス信号のままとして説明したが、通信手段１と描画演算手段１０６や中央演算手段１ １１８の間、通信手段２ １１６と記憶手段１０１や中央演算手段２ １１４との間はそれぞれ通信手段との接続に最も適した形で構成すればよい。また、中央演算手段２ １１４がPC１１１上に構成されていてもいなくてもよい。さらに、外部機器側はPC１１１として図示しているが、図６同様、マイコン１１５等の他の外部機器でもよい。さらに、本実施の形態で説明した状態表示装置は空気調和機の状態を表示するものの他、電子機器の状態表示を行うものであってもよい。
【００２５】
以上のように、本発明に係る状態表示装置によれば、組み込み機器実機上の描画処理により実デバイス上に表示が行える状態表示装置を、パソコン等の開発環境の制御下で実現できるので、組み込み機器実機におけるパフォーマンスや処理負荷、表示状態を検証し易く、開発時の作業サイクル時間を短縮した作業効率のよい開発環境が得られる。
【符号の説明】
【００２６】
１００  状態表示装置、１０１  記憶手段、１０２  表示プログラム、１０３  機器制御プログラム、１０４  表示データ、１０５  中央演算手段、１０６  描画演算手段、１０７  表示手段、１０８  表示デバイス、１０９  アドレスバス／データバス、１１０  表示データ記憶手段、１１１  外部機器（PC）、１１２  状態表示装置、１１３  アドレスバス／データバス、１１４  中央演算手段２、１１５  外部機器（マイコン）、１１６  通信手段２、１１７  通信手段１、１１８  中央演算手段１、２００  描画要求、２０１  描画命令、３０１  描画要求１、３０２  一時停止（BREAK）コマンド、３０３  描画要求３。
【図１】
2010087140.tif 000003
【図２】
2010087140.tif 000004
【図３】
2010087140.tif 000005
【図４】
2010087140.tif 000006
【図５】
2010087140.tif 000007
【図６】
2010087140.tif 000008
【図７】
2010087140.tif 000009
【図８】
2010087140.tif 000010
【図９】
2010087140.tif 000011
【図１０】
2010087140.tif 000012
【図１１】
2010087140.tif 000013
【図１２】
2010087140.tif 000014
【国際調査報告】
2010087140.tif 000015
2010087140.tif 000016
2010087140.tif 000017
2010087140.tif 000018